(57)【要約】【課題】ＩＣコインを利用した遊技媒体貸出しシステムにおいて、貨幣の投入から、遊技媒体の貸し出し可能な状態までの処理を速やかに行う。【解決手段】  遊技施設で使用される、遊技媒体の貸し出しに係る貸出し情報を記憶したＩＣコインを用いた、遊技媒体貸出しシステムにおいて、ケーシングと、投入されたＩＣコインを受け入れて収容する収容部を周上に有し、ケーシング内で回動して、収容したＩＣコインをケーシング内周面に沿って移送する回動ディスクと、回動ディスクに収容されたＩＣコインの情報を読み取るリーダライタと、ＩＣコインを貯留する貯留部と、を設けたＩＣコイン処理装置と、前記リーダライタで読み取られた、前記ＩＣコインの貸出し情報を記憶する情報記憶部と、を備え、前記情報記憶部は、前記ＩＣコイン処理装置に設けられた貯留部の最上部に蓄えられる前記ＩＣコインの貸出し情報を記憶する。【選択図】図９
2008080062.tif 000002
【特許請求の範囲】
【請求項１】
遊技施設で使用される、遊技媒体の貸し出しに係る貸出し情報を記憶したＩＣコインを用いた、遊技媒体貸出しシステムにおいて、
ケーシングと、投入されたＩＣコインを受け入れて収容する収容部を周上に有し、ケーシング内で回動して、収容したＩＣコインをケーシング内周面に沿って移送する回動ディスクと、回動ディスクに収容されたＩＣコインの情報を読み取るリーダライタと、ＩＣコインを貯留する貯留部と、を設けたＩＣコイン処理装置と、
前記リーダライタで読み取られた、前記ＩＣコインの貸出し情報を記憶する情報記憶部と、を備え、
前記情報記憶部は、前記ＩＣコイン処理装置に設けられた貯留部の最上部に蓄えられる前記ＩＣコインの貸出し情報を記憶することを特徴とする遊技媒体貸出しシステム。
【発明の詳細な説明】
【技術分野】
【０００１】
本発明は、遊技施設で使用される、遊技媒体の貸し出しに係る貸出し情報を記憶したＩＣコインを用いた、遊技媒体貸出しシステムに関する。
【背景技術】
【０００２】
パチンコ遊技場などの遊技施設においては、パチンコ玉やメダルなどを貸し出す遊技媒体貸出機が設置されている。近年、非接触ＩＣタグまたはＲＦＩＤ（Radio Frequency Identification）タグと呼ばれる無線で情報の授受ができる微小な記憶装置を内蔵したＩＣコインを利用した遊技媒体貸出機が導入されている。ＩＣコインを利用した遊技媒体貸出機は、遊技者からの貨幣の投入を受け付け、指定された購入金額に応じた遊技媒体を貸し出す。一方、投入貨幣の金額から購入金額を引いた残額をＩＣコインに書き込む。遊技者が遊技を終了すればＩＣコインを返却する。遊技者は、返却されたＩＣコインを精算機に投入することにより、ＩＣコインに書き込まれた残額の払い戻しを受けることができる。
また、払い戻しを受けずに、次回の遊技施設利用時に、直接、遊技媒体貸出機に投入して遊技媒体の貸し出しを受けることもできる。
【０００３】
このように、ＩＣコインを利用した遊技媒体貸出機は、投入されたＩＣコインを受け入れたり、返却したりする処理を行う必要がある。また、残額がなくなったＩＣコインは回収して蓄えておき、また貨幣が直接投入されたときに、蓄えられているＩＣコインを取り出して残額の書き込み等を行う必要がある。このようなＩＣコインの処理を行うＩＣコイン処理装置が、ＩＣコインを利用する遊技媒体貸出機には備えられている。
【０００４】
遊技媒体貸出機に備えられたＩＣコイン処理装置が、下記特許文献１に記載されている。この文献に記載されたＩＣコイン処理装置は、ＩＣコインを受け入れ保持するコインホルダを備えたロータを回転制御することにより、コインホルダに受け入れたＩＣコインを移送することができるように構成されている。コインホルダの回転軌跡である移送通路から連通する押し上げ通路に、ＩＣコインを順次押し上げてこれを貯留しておくことができる。遊技媒体貸出機に貨幣が投入されると、押し上げ通路に蓄えられていたＩＣコインがコインホルダに取り出され、ＩＣコインのＩＣタグと通信が可能となる位置に移送され、ここで投入された貨幣の金額が記録される。遊技媒体が貸し出されると、その分の金額が減算されて、ＩＣコインに残額が記憶される。ＩＣコインに残額がある状態で遊技者が遊技を終えると、ＩＣコインは遊技者に対して返却される。ＩＣコインに残額がなくなると、再び押し上げ通路に戻される。遊技者によりＩＣコインが投入された場合は、投入され
たＩＣコインを、情報の読み取り、書き込みができる位置に、ロータを回転させて移送する。その後は、貨幣が投入された場合と同様の処理が行われる。
【０００５】
【特許文献１】特開２００２−２１０２０７号公報
【発明の開示】
【発明が解決しようとする課題】
【０００６】
前記公報に記載された装置は、遊技媒体貸出機に貨幣が投入されると、押し上げ通路に蓄えられていたＩＣコインがコインホルダに取り出され、ＩＣコインのＩＣタグと通信が可能となる位置に移送して、投入された貨幣の金額を記録した後、遊技者に遊技媒体が貸し出し可能となる。このため、貨幣が投入されてから、遊技媒体の貸し出しまで時間を要し、遊技者を待たせてしまうという問題があった。
【０００７】
本発明は、遊技媒体貸出機への貨幣の投入から、遊技媒体の貸し出しまでの時間を短縮することを目的とする。
【課題を解決するための手段】
【０００８】
遊技施設で使用される、遊技媒体の貸し出しに係る貸出し情報を記憶したＩＣコインを用いた、遊技媒体貸出しシステムにおいて、ケーシングと、投入されたＩＣコインを受け入れて収容する収容部を周上に有し、ケーシング内で回動して、収容したＩＣコインをケーシング内周面に沿って移送する回動ディスクと、回動ディスクに収容されたＩＣコインの情報を読み取るリーダライタと、ＩＣコインを貯留する貯留部と、を設けたＩＣコイン処理装置と、前記リーダライタで読み取られた、前記ＩＣコインの貸出し情報を記憶する情報記憶部と、を備え、前記情報記憶部は、前記ＩＣコイン処理装置に設けられた貯留部の最上部に蓄えられる前記ＩＣコインの貸出し情報を記憶することを特徴とする。
【発明の効果】
【０００９】
遊技施設で使用される、遊技媒体の貸し出しに係る貸出し情報を記憶したＩＣコインを用いた、遊技媒体貸出しシステムに、ＩＣコインの情報を記憶する情報記憶部を備えたことにより、貨幣が投入されてから遊技媒体が貸し出し可能となる間に、回動ディスクよって貯留部のＩＣコインをリーダライタの位置に移送する必要がなく、貨幣が投入されるとすぐに、情報記憶部に記憶されたＩＣコインの情報を利用して遊技者に対して遊技媒体を貸出せる状態とすることができる。
【発明を実施するための最良の形態】
【００１０】
以下、本発明の実施形態を、図面に従って説明する。図１は、パチンコ等の遊技台１０が複数並んで配置された様子を示している。実際の遊技施設においては、より多くの遊技台１０が横方向に並んで配置される。遊技台１０に隣接して、玉、メダルなどの遊技媒体を貸し出す遊技媒体貸出機１２が設けられている。遊技媒体貸出機１２には、紙幣を挿入する紙幣挿入口１４、ＩＣコインを投入するＩＣコイン投入口１６、ＩＣコインが返却されるＩＣコイン返却口１８が設けられている。また、遊技媒体を貸し出す貸出ノズル２０が設けられている。
【００１１】
図２は、遊技媒体貸出機１２をより詳細に示した図である。内部が見られるように側板を取り外した状態で示されている。ＩＣコイン投入口１６、返却口１８の奥には、ＩＣコイン処理装置２２が配置されている。ＩＣコイン２３（図１０−１２参照）は、略円板形状であり、非接触ＩＣタグ、ＲＦＩＤタグなど呼ばれる記憶装置が内蔵されている。このＩＣタグは、記憶部、外部と無線による通信を行う送受信部、アンテナ、これら各部の動作の制御を行う処理部を含んでいる。ＩＣコイン処置装置２２は、ＩＣコイン２３のＩＣタグと無線で情報の書き込み、読み出しを行うためのリーダライタを備えている。また、投入されたＩＣコイン２３を受け入れ、返却すべきものを返却し、返却不要で使用の終わったＩＣコイン２３を貯留するなどの各処理を行うものである。
【００１２】
図３はＩＣコイン処理装置２２の外観を示す図であり、図４は、図３に示す側板２４を取り外した状態を示す図である。図５は、更に回動ディスク２６を取り外した状態を示す図である。図６および図７は回動ディスク２６を示す斜視図であり、図６では図４において見える面と同じ面が見えており、図７には図６の裏側が示されている。以降の説明においては、図６で見える側の面を回動ディスクの表、図７で見える側の面を裏と呼ぶ。
【００１３】
ＩＣコイン処理装置２２の本体基板２８に立設された壁により、ケーシング壁３０形成され、このケーシング壁３０に囲まれた空間内に略円板形状の回動ディスク２６が回動可能に配置される。図５の紙面裏側より駆動軸（不図示）が貫通してきており、これが回動ディスク２６の中心孔３２差し込まれて係合し、駆動軸に接続された駆動モータにより、回動ディスク２６が駆動される。回動ディスク２６の裏には、同心円状に三つのリブ３４，３６，３８が設けられている。内側から内リブ３４、中リブ３６，外リブ３８と記す。リブの数は適宜変更することができる。これらのリブは、およそ円周の４分の３の長さの円弧であり、このリブが配置されていない部分が投入されたＩＣコイン２３を収容する収容部４０（図９参照）となる。言い換えれば、各リブ３４，３６，３８の端面が収容部４０を規定する。しかし、収容部４０は、円弧状のリブの端面により規定されることには限られず、例えば、半径方向に延びる２本のリブの間の空間として規定することもできる。
また、中リブ３６，外リブ３８は、ＩＣコインを貯留する貯留部４２を通過する円周上に配置されている。
【００１４】
本体基板２８には、投入されたＩＣコイン２３を、回動ディスク２６の収容部４０に導く投入通路４４を規定する投入通路壁４６が立設されている。また、遊技を終了したときにＩＣコイン２３を遊技者に返却するため送出する送出通路４８を規定する送出通路壁５０が立設されている。これらの通路には、それぞれ投入シャッタ５２、送出シャッタ５４が設けられている。これらのシャッタ５２，５４は、図５の紙面に垂直な方向に移動可能で、本体基板２８より突出した進出位置と、本体基板２８より引っ込んだ退避位置を取ることができる。進出位置において、それぞれの通路が閉鎖され、退避位置において開放される。また、送出シャッタ５４は、ケーシング壁３０と一体となって、回動ディスク２６を囲うケーシング周壁を構成する。この周壁と本体基板２８側板２４で、回動ディスクを収容するケーシングが構成される。送出シャッタ５４はその前後のケーシング壁３０と面一となって、回動ディスク２６が移送するＩＣコイン２３を、回動ディスク２６の外周側で案内する。
【００１５】
図８は、貯留部４２のＡ−Ａ断面図（図５）である。貯留部４２では、ＩＣコイン２３は、図５の紙面奥に向けて積層されて貯留されている。貯留部４２の円筒状の貯留ケース５６の底部にバネ５８が配置され、バネ５８が底板６０を、図８中上方に、すなわち図５においては紙面手前側に付勢している。貯留ケース５６の開口上方には、本体基板２８からＩＣコイン押さえ６２が延びている。このＩＣコイン押さえ６２は、回動ディスクの中リブ３６、外リブ３８の間に位置し、貯留部４２に蓄えられたＩＣコイン２３が、バネ５８により、図５において手前側に出てこないように押さえている。回動ディスク２６の中リブ３６と外リブ３８は、ＩＣコイン押さえ６２より高さが高く、これらのリブ３６，３８が貯留部４２に位置するときは、蓄えられているＩＣコイン２３を、これらのリブがバネ５８の付勢力に抗して奥へと押し込んでいる。回動ディスク２６の回動によって、中リブ３６、外リブ３８がない部分、すなわち収容部４０が位置するときには、ＩＣコイン押さえ６２がＩＣコインを押さえて、飛び出さないようにしている。本体基板２８の、回動ディスク２６が収まる凹部の底面には、ＩＣコイン２３が投入通路４４から貯留部４２へ、またその逆に移送されるのをガイドするガイド壁６３が立設されている。
【００１６】
本体基板２８の裏には、ＩＣコイン処理装置２２の制御を行う制御基板に備わる、ＩＣコイン２３の情報読取位置であるリーダライタのアンテナ６４がＩＣコイン２３の情報を読み取った時点で該ＩＣコイン２３の情報を記憶する情報記憶部１２０及び、ＩＣコインのＩＣタグとの通信を行うリーダライタのアンテナ６４が配置されている。また、アンテナ６４に対向する位置である通信位置にＩＣコイン２３があることを検出する通信位置センサ６６、および送出通路４８を通ったことを検出する送出通路センサ６８が配置されている。前記情報記憶部１２０は、ＩＣコイン２３の情報を読取位置で読み取る毎に記憶を更新して、直近で読み取ったＩＣコイン２３の情報のみを記憶する。
【００１７】
図９−１２は、ＩＣコイン処理装置２２の動作を説明図である。待機状態においては、回動ディスクの収容部４０は、図９に示すように、投入通路に面した位置にあり、投入シャッタ５２は、開いた状態となっている。遊技者がＩＣコイン２３を投入すると、コインは自重により投入通路を通って収容部４０まで落下し、ここに収容される。この状態が図１０に示されている。このときのＩＣコイン２３のＩＣタグの位置に対向する位置にリーダライタのアンテナ６４が位置し、ＩＣタグとの通信が可能となる。このＩＣタグとの通信が可能となるＩＣコイン２３の位置を、以降通信位置を記す。ＩＣコイン２３がこの通信位置に達すると、通信位置センサ６６がこれを検知する。ＩＣコイン２３が通信位置にあるときには、投入シャッタ５２が閉じられて、誤って追加して投入されたＩＣコインが、収容部４０に送られないように阻止する。通信位置にあるＩＣコイン２３に記憶された残額に相当する情報が読み取られ、情報記憶部１２０に記憶された後、この範囲で遊技媒体の貸し出しが行われる。また、貸し出された遊技媒体の量に応じて、ＩＣコイン２３に記憶される残額が減額され、更新される。なお、投入シャッタは、回動ディスク２６の収容部４０が通信位置（図１０の位置）以外にあるときには、閉じた状態とされる。
【００１８】
ＩＣコイン２３に残額がなくなり、通貨貨幣が投入されなかった場合、回動ディスク２６が時計回りに回動される。収容部４０を規定するリブ３４，３６，３８の少なくともいずれかの端がＩＣコイン２３を押して、貯留部４２に向けてこれを移送する。このとき、送出シャッタ５４は、閉じられており、ＩＣコイン２３が送出シャッタ５４の位置を通過する際には（図１１参照）、このシャッタの内周面に沿って移送される。貯留部４２に近づくと、ＩＣコイン２３は、ガイド壁６３（図５参照）に導かれて、回動ディスク２６の周方向への移動と共に半径方向外側に向けて移動する。貯留部４２に蓄えられているＩＣコイン２３または底板６０は、中リブ３６および外リブ３８により、奥に押し込まれており、ＩＣコイン押さえ６２との間にＩＣコイン２３が１個入る隙間が形成されている。移送されてくるＩＣコイン２３が、この隙間に挿入される（図１２）。回動ディスク２３は回動を続け、挿入したＩＣコイン２３を、中リブ３６および外リブ３８の端に形成された傾斜端面７２，７４によりこれを奥に向けて押し込み、更に回動して収容部４０が初期の位置（図１０の位置）に達すると停止する。
【００１９】
ＩＣコイン２３に残額がまだあるときに遊技を終える場合は、ＩＣコイン２３は遊技者に返却される。遊技者により遊技終了の指示がなされると、回動ディスク２６が時計回りに回動して、通信位置（図１０）にあるＩＣコイン２３を送出シャッタ５４の位置まで移送する（図１１）。ＩＣコイン２３が移送されている間に、または移送されてくると、送出シャッタ５４が開放され、ＩＣコインが送出通路に送り出される。その後、貯留部４２の最上部に蓄えられているＩＣコイン２３を読取位置に回動ディスク２６により移送させてＩＣコインの情報を読み取り情報記憶部１２０へ記憶する。情報記憶部１２０に記憶されたＩＣコイン１３の情報に対応するＩＣコインは、再び貯留部４２の最上部に蓄えられる。
【００２０】
遊技者により貨幣が投入されると、通信位置にＩＣコイン２３があれば、対応する金額に相当する情報が、ＩＣコインに書き込まれる。通信位置にＩＣコイン２３がなければ、情報記憶部１２０に記憶されたＩＣコイン２３の情報を読み取り、遊技者に対して遊技媒体が貸し出し可能な状態になった後に、貯留部４２に蓄えられているＩＣコイン２３が、通信位置に移送されて、この新しいＩＣコインに投入された金額に相当する情報が書き込まれる。貯留部４２からＩＣコイン２３を取り出すには、まず回動ディスク２６を回動させて、収容部４０を貯留部４２の位置に移動させる。ここから、回動ディスクを反時計回りに回動させる。一方、回動ディスクの収容部４０が、貯留部４２に位置するとき、貯留部４２に蓄えられているＩＣコイン２３のうち、一番上のＩＣコイン２３は、ＩＣコイン押さえ６２に当接した状態にある。つまり、収容部４０には、中リブ３６、外リブ３８が設けられていないので、これらのリブにより奥に向けて押し込まれておらず、ＩＣコイン押さえ６２に当接するまで、手前側に出てきている。このような状態から、回動ディスク２６が反時計回りに回動すると、手前に出てきているＩＣコイン２３の側面に中リブ３６と外リブ３８の垂直端面７６，７８が当接し、一番上のＩＣコイン２３を抜き出す。抜き出されたＩＣコイン２３は、反時計回りに移送され、閉鎖されている送出シャッタ５４を通過して通信位置に達する。そして、投入された金額に相当する情報が書き込まれる。
【００２１】
次に、通路にＩＣコイン２３が詰まったときの処置について説明する。図３に示すように、側板２４は、回動ディスク２６の外周の一部が露出させる開口８０を有している。この部分にてケーシング壁３０は途切れているが、ＩＣコイン２３はこの部分を通過することはないので、開口を側方に設けてもＩＣコイン２３がこぼれ落ちることはない。この開口８０より指等で回動ディスク２６を回すことで、回動ディスク２６に関連してＩＣコイン２３が詰まっている場合に、詰まりを解消することができる。
【００２２】
投入シャッタ５２および送出シャッタ５４が、ＩＣコイン２３を挟み込むなどして詰まった場合に、これらのシャッタを手動で動かせるように解除突起８２，８４が設けられている。投入シャッタ５２を動かすための投入シャッタ解除突起８２に対応して、側板２４には小さな孔８６が設けられている。この孔８６から投入シャッタ解除突起８２の先端が突出しており、これを指で押し込むようにして操作することにより、投入シャッタ５２が投入通路４４から退避するように押し込まれる。また、投入シャッタ解除突起８２の先端が、孔８６より突出しないように構成し、先のとがった工具を入れて、投入シャッタ解除突起を操作するようにしてもよい。また、送出シャッタ５４を動かすための送出シャッタ解除突起８４に対応して、側板２４には開口８８が設けられている。開口８８から先のとがった工具または指などを入れて送出シャッタ解除突起８４を押し込むように操作することで、シャッタを動かすことができる。
【００２３】
図１３は、ＩＣコイン処理装置２２を裏側から見た状態を示す図である。投入シャッタ５２の駆動機構９０と、送出シャッタ５４の駆動機構９２が示されている。図１４は、投入シャッタ駆動機構９０を示す、図１３の右方から見た斜視図である。投入シャッタ５２は、本体基板２８に立設されているガイドピン９４に、このピンの軸方向に移動可能に支持されている。解除突起８２は、投入シャッタ５２より延びる支持板９６に固定され、この結果解除突起８２は投入シャッタ５２に一体に形成されている。支持板９６には、支持ピン９８に回動可能に支持されたシャッタカム１００の先端が当接している。支持ピン９８は、本体基板２８に固定されている。また、シャッタカム１００には、ソレノイド１０２のアーマチャが係合している。ソレノイド１０２のアーマチャを突出させると、シャッタカム１００は、支持ピン９８の回りに、図１４中において反時計回りに回動して、支持板９６を右方向に移動させる。これにより投入シャッタ５２が投入通路４４内に進出する。ソレノイド１０２のアーマチャが退避すると、不図示の弾性部材の付勢力により、投入シャッタ５２は、投入通路４４内より退避する。投入シャッタ５２が引っ掛かって動かなくなった場合、解除突起８２を押して引っ掛かりを解除する。このとき側板２４を取り外さずに投入シャッタ５２を動かすことができる。
【００２４】
図１５は、送出シャッタ駆動機構９２を示す、図１３の右方から見た斜視図である。送出シャッタ５４は、本体基板２８に立設されているガイドピン１０４に、このピンの軸方向に移動可能に支持されている。解除突起８４は、送出シャッタ５４に一体に設けられている。また、送出シャッタ５４には支持板１０６が立設されている。支持板１０６には、支持ピン１０８に回動可能に支持されたシャッタカム１１０の先端が当接している。支持ピン１０８は、本体基板２８に固定されている。また、シャッタカム１１０には、ソレノイド１１２のアーマチャが係合している。ソレノイド１１２のアーマチャを突出させると、シャッタカム１００は、支持ピン１０８の回りに、図１５中において反時計回りに回動して、支持板１０６を右方向に移動させる。これにより送出シャッタ５４が送出通路４８内に進出する。ソレノイド１１２のアーマチャが退避すると、不図示の弾性部材の付勢力により、送出シャッタ５４は、送出通路４８内より退避する。送出シャッタ５４が、引っ掛かって動かなくなった場合、解除突起８４を押して引っ掛かりを解除する。このとき側板２４を取り外さずに送出シャッタ５４を動かすことができる。
【００２５】
図１６は、遊技媒体貸出しシステムの構成を示す図である。複数の遊技媒体貸出機１２、１２・・・の各々が、中継機１２２、１２２・・・を経由して、複数の遊技媒体貸出機１２、１２・・・の遊技媒体の貸し出しに係わる情報を管理する島管理装置１２１と通信可能に接続されている。前記中継機１２２は遊技媒体貸出機１２、１２・・・と、島管理装置１２１とが相互に通信可能な信号へと変換を行う。
【００２６】
なお、上記記載の実施例に限定されるものではなく、前記情報記憶部１２０がＩＣコイン処理装置２２の制御を行う制御基板に備わるとしたが、図１６に示す遊技媒体貸出しシステムの島管理装置１２１及び、中継機１２２のいずれかに備える構成としてもよい。また、遊技者により投入された貨幣の価値相当の貸出し情報と、情報記憶部１２０に記憶されているＩＣコイン２３の情報とを利用して、遊技者に対して遊技媒体の貸出し可能な状態とし、情報記憶部１２０に記憶されているＩＣコイン２３の情報に対応する、貯留部４２に蓄えられているＩＣコイン２３を回動ディスク２３により読取位置に移送することなく遊技媒体の貸出し処理を継続する構成とすることによって、回動ディスク２６の回動動作を必要とせずに遊技者に対して遊技媒体を貸出すことができるので、機械的動作を簡略し装置への負荷を軽減することが可能な構成としてもよい。
【００２７】
以上のように、本実施形態においては、遊技媒体貸出しシステムに情報記憶部を備えることにより、遊技媒体貸出機に貨幣が投入された後、情報記憶部に記憶されたＩＣコインの情報を利用して遊技者に対して遊技媒体の貸し出しを行うことができる。  
【図面の簡単な説明】
【００２８】
【図１】遊技台と遊技媒体貸出機を配列した様子を示す図である。
【図２】遊技媒体貸出機の外観を示す図である。
【図３】ＩＣコイン処理装置の外観を示す図である。
【図４】ＩＣコイン処理装置の側板を取り外した状態を示す図である。
【図５】ＩＣコイン処理装置の側板および回動ディスクを取り外した状態を示す図である。
【図６】回動ディスクの表側の外観を示す図である。
【図７】回動ディスクの裏側の外観を示す図である。
【図８】貯留部の断面図である。
【図９】ＩＣコイン処理装置の処理動作を示す図である。
【図１０】ＩＣコイン処理装置の処理動作を示す図であり、ＩＣコインを受け入れた状態を示す図である。
【図１１】ＩＣコイン処理装置の処理動作を示す図であり、ＩＣコインが送出シャッタの位置にある状態を示す図である。
【図１２】ＩＣコイン処理装置の処理動作を示す図であり、ＩＣコインが貯留部に達した状態を示す図である。
【図１３】ＩＣコイン処理装置の裏面を示す図である。
【図１４】投入シャッタの駆動機構を示す図である。
【図１５】送出シャッタの駆動機構を示す図である。
【図１６】遊技媒体貸出しシステムの構成を示す図である。
【符号の説明】
【００２９】
１０  遊技台
１２  遊技媒体貸出機
２２  ＩＣコイン処理装置
２３  ＩＣコイン
２４  側板
２６  回動ディスク
２８  本体基板
３０  ケーシング壁
３４  内リブ
３６  中リブ
３８  外リブ
４０  収容部
４２  貯留部
４４  投入通路
４８  送出通路
５２  投入シャッタ
５４  送出シャッタ
６４  アンテナ
１２０  情報記憶部
１２１  島管理装置
１２２  中継機
【図１】
2008080062.tif 000003
【図２】
2008080062.tif 000004
【図３】
2008080062.tif 000005
【図４】
2008080062.tif 000006
【図５】
2008080062.tif 000007
【図６】
2008080062.tif 000008
【図７】
2008080062.tif 000009
【図８】
2008080062.tif 000010
【図９】
2008080062.tif 000011
【図１０】
2008080062.tif 000012
【図１１】
2008080062.tif 000013
【図１２】
2008080062.tif 000014
【図１３】
2008080062.tif 000015
【図１４】
2008080062.tif 000016
【図１５】
2008080062.tif 000017
【図１６】
2008080062.tif 000018